(57)【特許請求の範囲】
【請求項１】
一つの部屋の屋外に面する二つの壁に設けられ、前記屋外と室内とを連通する複数の貫通口のうちの２以上の貫通口に設けられたファンの回転により室内の空気を屋外に排気する排気送風手段と、
前記排気送風手段を設けた貫通口を除く前記複数の貫通口のうちの２以上の貫通口に設けられた自然給気または機械給気する手段と、
前記排気送風手段を設けた貫通口及び前記自然給気または機械給気する手段を設けた貫通口を除く前記複数の貫通口を塞ぐ蓋とを備える換気システム。
【請求項２】
一つの部屋の屋外に面する二つの壁に設けられ、前記屋外と室内とを連通する複数の貫通口のうちの２以上の貫通口に設けられたファンの回転により室内の空気を最低でも１個当たり１時間に２〜４ｍ3屋外に排気する排気送風手段と、
前記排気送風手段を設けた貫通口を除く前記複数の貫通口のうちの２以上の貫通口に設けられた自然給気または機械給気する手段と、
前記排気送風手段を設けた貫通口及び前記自然給気や機械給気する手段を設けた貫通口を除く前記複数の貫通口を塞ぐ蓋とを備え、
前記室内容積の半分に相当する空気を一時間で換気する換気システム。
【請求項３】
排気送風手段は貫通口から着脱可能としたことを特徴とする請求項１または２に記載の換気システム。
【請求項４】
２つの壁のうち、第１の壁に設けられた複数の貫通口のいくつかには排気送風手段が装着され、第１の壁とは異なる第２の壁に設けられた複数の貫通口のいくつかには部屋に給気する給気送風手段が装着された事を特徴とする請求項１〜３のいずれかに記載の換気システム。
【請求項５】
複数の排気送風手段を給気、排気の切替が可能な給排気送風手段としたことを特徴とする請求項１又は２に記載の換気システム。
【請求項６】
複数の給排気送風手段の給気、排気の切り替えを制御する運転制御手段と、この運転制御手段を操作する操作手段とを備えた集中制御装置を設けたことを特徴とする請求項５に記載の換気システム。
【請求項７】
複数の排気送風手段または給気送風手段または給排気送風手段の風量を制御する運転制御手段とこの運転制御手段を操作する操作手段とを備えた集中制御装置を設けたことを特徴とする請求項１〜６のいずれかに記載の換気システム。
【請求項８】
貫通口に排気送風手段または給気送風手段または給排気送風手段に電源の供給を行う給電配線手段を設け、この給電配線手段への給電を一ヶ所から行う集中給電手段を集中制御装置に設けたことを特徴とする請求項７に記載の換気システム。
【請求項９】
貫通口はその内側に給排気送風手段に給電を行うための電極接点を有し、前記給排気送風手段は前記電極接点から受電する受電電極を有するとともに、前記給排気送風手段の給気・排気の切り換えは、前記電極接点と前記受電電極の接触の切り換えによって行われることを特徴とする請求項５に記載の換気システム。
【発明の詳細な説明】
【０００１】
【発明の属する技術分野】
この発明は住宅等における各部屋や小空間の換気を行う換気システムに関するものである。
【０００２】
【従来の技術】
従来の住宅における各部屋の換気は、建物自体のある程度の隙間か、自然換気孔を設けたもの程度で換気していた。また空気の汚濁しやすい台所やトイレ、浴室などでは排気用換気扇を設置し、建物の隙間や他室からの換気孔から給気し排気するものであった。近年においては住宅の気密化が進み、建物の隙間での換気が期待できなくなり、各部屋毎に専用の換気経路を確保することが必要となってきた。換気量は必要換気量として１時間当り室内容積の１／２確保を目安とされ、大よそ１０〜２０ｍ3／ｈの換気が行われている。一般的には図９に示すように部屋毎に開口約φ１００ｍｍ程度以上の給気孔１２０をひとつ設けトイレ等の排気用換気扇１２１への排気経路を確保するため扉部にアンダーカットを施して排気孔を確保することが知られている。この給気孔１２０の大きさが、前述の必要な換気量、この場合では給気風量に対しての圧力損失が小さく、ひとつの設置にてその部屋に給気される給気量は換気風量を満足するものとなっている。また居室において煙草臭等の排気のため排気用換気扇や熱交換型換気扇を設けるケースもある。
【０００３】
【発明が解決しようとする課題】
従来の換気は以上のように構成されているので、換気量（外気導入風量と部屋から排出される風量）と換気の経路は確保されている。しかし、各部屋の各部位で捉えるとその給気、排気位置は1ヶ所固定のため換気効率（外気と入れ替わる率）は汚濁発生位置や部屋の広さや形状に左右されることになる。たとえば図９に示すような部屋では排気口に近いところの汚気は排気しやすいが、換気の空気経路から外れた場所（図中×印）の空気の入れ替えはその換気気流が非常に弱く汚気が滞りやすく、排気量に対する部屋全体の空気入れ替えの効率が悪いという問題があった。
また、部屋の換気口や換気扇の配置は建築時に設置した状態から変えることができず、家具の配置や生活シーンにて汚気の発生位置が変わることに対して柔軟に対応できないという問題点があった。
【０００４】
この発明は上記のような問題を解消するためになされたもので、第１の目的は、各室内に複数箇所の換気の経路を形成し、排気量に対する部屋全体の空気入れ替えの効率を向上させることである。
また、第２の目的はシステムの既設後も、換気の流れを柔軟に変更できるシステムを提供することである。
【０００５】
【課題を解決するための手段】
この発明にかかる換気システムは、住宅内の部屋を換気する排気送風手段を備えたものであり、部屋を囲う異なる２つの壁にはこの壁を貫通する直径３０ｍｍ〜５０ｍｍ程度の貫通口が複数分散して設けられ、排気送風手段は複数存在し、貫通口のいくつかに装着されるとともに、排気送風手段が装着されていない貫通口には、蓋または前記部屋に給気するための給気グリル又は給気送風手段が装着されて構成されたものである。
【０００６】
また、この発明にかかる換気システムは、住宅内の部屋を換気する複数の排気送風手段を備えたものであり、部屋を囲う異なる２つの壁にはこの壁を貫通する貫通口が複数分散して設けられ、排気送風手段は運転時における個々の処理風量の最低値が２〜４ｍ3／ｈであるとともに、最低値で個々の排気送風手段を運転したときに部屋の半分の容積に相当する空気を一時間で換気できるだけの個数が貫通口のいくつかに装着されて構成されたものである。
【０００７】
また、この発明にかかる換気システムの排気送風手段は貫通口から着脱可能として構成されたものである。
【０００８】
また、この発明にかかる換気システムは、２つの壁のうち、第１の壁に設けられた複数の貫通口のいくつかには排気送風手段が装着され、第１の壁とは異なる第２の壁に設けられた複数の貫通口のいくつかには部屋に給気する給気送風手段が装着されて構成されたものである。
【０００９】
また、この発明にかかる換気システムにおける複数の排気送風手段は給気、排気の切替が可能な給排気送風手段として構成されたものである。
【００１０】
また、この発明にかかる換気システムは、複数の給排気送風手段の給気、排気の切り替えを制御する運転制御手段と、この運転制御手段を操作する操作手段とを備えた集中制御装置を設けて構成されたものである。
【００１１】
また、この発明にかかる換気システムは、複数の排気送風手段または給気送風手段または給排気送風手段の風量を制御する運転制御手段とこの運転制御手段を操作する操作手段とを備えた集中制御装置を設けて構成されたものである。
【００１２】
また、この発明にかかる換気システムは、貫通口に排気送風手段または給気送風手段または給排気送風手段に電源の供給を行う給電配線手段を設け、この給電配線手段への給電を一ヶ所から行う集中給電手段を集中制御装置に設けて構成されたものである。
【００１３】
また、この発明にかかる換気システムの貫通口はその内側に給排気送風手段に給電を行うための電極接点を有し、給排気送風手段は電極接点から受電する受電電極を有するとともに、給排気送風手段の給気・排気の切り換えは、電極接点と受電電極の接触の切り換えによって行われるようにして構成されたものである。
【００１４】
【発明の実施の形態】
実施の形態１
図１〜３はこの発明の実施の形態１である換気システムを示すものであり、図１は、住宅において２面が屋外に面した６畳相当の一室の斜視図を、図２は図１に示す一室の室内を上部から見た図である。
【００１５】
図において１ａは気密住宅における部屋を囲う第１の壁であり、１ｂはこの第１の壁１ａとほぼ直角に交差する第１の壁とは異なる第２の壁である。この第１の壁１ａ及び第２の壁１ｂはそれぞれその外面において屋外に面している。２ａは第１の壁１ａの上方及び下方に窓１００をはさんで複数（本実施の形態では６ケ）がほぼ等間隔に分散して設けられた貫通口である。同様に２ｂは第２の壁１ｂの上方及び下方に窓１００をはさんで複数（本実施の形態では８ケ）がほぼ等間隔に分散して設けられた貫通口である。即ちこの実施の形態では部屋を囲う異なる２つの壁である第１の壁１ａと、第２の壁１ｂに貫通口２ａ、２ｂが複数（この実施の形態では合計１４ケ）分散して設けられる。
【００１６】
貫通口２ａ、２ｂはそれぞれ約３０〜５０ｍｍ程度、より好ましくは４０〜５０ｍｍ程度の直径を有する。この実施の形態においては、この貫通口２ａ、２ｂの直径は上記範囲内の一定値である４０ｍｍで統一されている。また、横方向には６〜７００ｍｍ程度の間隔で、また上方の貫通口２ａ、２ｂは天上から５００ｍｍ程度以内、下方の貫通口２ａ、２ｂは床から５００ｍｍ程度以内の距離に設けられる。
【００１７】
３ａは排気送風手段であり、上記第１の壁１ａの６ケの貫通口２ａに装着される。即ち、この排気送風手段３ａは、複数の貫通口２ａ、２ｂのうちのいくつか（この実施の形態では６ケ）に装着される。３ｂは給気グリルであり、排気送風手段３ａを設置していない第２の壁１ｂに設けられた貫通口２ｂに設けられる。  この給気グリル３ｂは、貫通口２ｂの開度を調節できるようにして構成される。
【００１８】
図３は、貫通口２ａに装着されたときの排気送風手段３ａの構造図である。図において、５はファン、６はこのファン５を回転させるファンモータ、７はこのファンモータ６に接続された電源部、９は上記ファン５、ファンモータ６、電源部７を内部に収納した筒状のケーシング本体、８はこのケーシング本体９を貫通口２ａに挿入後、部屋側から取付けられる排気グリルである。ケーシング本体９が貫通口２ａに挿入されることにより、部屋と屋外を結ぶ風路が確保される。貫通口２ａの屋外側にはフード１０が設けられ雨水の侵入が防止されている。
【００１９】
排気送風手段３ａの大きさはケーシング本体９が貫通口２ａに装着できる大きさとし、断面の直径がφ４０ｍｍ〜５０ｍｍ程度以内と小型なものである。
【００２０】
次に動作について説明する。
排気送風手段３ａは、電源部７、ファンモータ６に通電するとファン５を回転して排気ができる。例えば６つすべての排気送風手段３ａを運転させ、給気のための給気グリル３ｂをすべて全開とすると、図２の矢印に示す換気流が形成できる。この換気流は面から面への押し出し気流となり効率の高い換気が行える。
また外気を取り込むことで涼を取りたいときや、空気の流れを室内に形成し体感的に涼を取りたいときや、暖房時など室内上部への熱の滞留を拡散して省エネを図りたいときなど、室内の空気の流れをシーンによって変えたいことに対して、給気グリル３ｂの開閉や排気送風手段３ａの運転／停止の選択により実現できる。
【００２１】
またこの実施の形態では貫通口２ａ、２ｂが複数設けられており、そのうちのいくつかを選択して排気送風手段３ａや、給気グリル３ｂを装着することができる。このため、家具などの障害物の配置により従来であれば貫通口２ａ、２ｂが塞がれてしまい換気が不足するという問題も、そのような障害物を避けて貫通口２ａ、２ｂを選択し、排気送風手段３ａ等を装着することにより回避できる。
【００２２】
換気量は、基本換気量として１時間当り室内容積の約１／２確保を目安といわれている。表１は基本換気量に対して貫通口２ａ１ヶ当りの処理風量の最低値を２ｍ3／ｈとした場合に、排気送風手段３ａを装着することが必要な貫通口２ａの数を示す。
【表１】
0003838022.tif 000002
１つ当りの処理風量を小さくすることによって貫通口２ａ、２ｂ、送風手段３ａは飛躍的に小型化できる。一方、φ４０mm程度の貫通口２ａであれば、１０ｍ3／ｈ・ヶ程度の風量は確保できる。
ひとつの排気送風手段３ａの処理風量を２〜１０ｍ3／ｈ程度に可変させることで、室内の総換気量を可変でき必要な基本換気から急速的な換気まで対応できるシステムが提供できる。
【００２３】
なお、この実施の形態では排気送風手段３ａ１ヶ当たりの処理風量の最低値を２ｍ3／ｈとしたが、この発明はこれに限定することなく、排気送風手段３ａの運転時における個々の処理風量の最低値が２〜４ｍ3／ｈであればよい。また、この最低値で個々の排気送風手段３ａを運転したときに部屋の半分の容積に相当する空気を一時間で換気できるだけの個数が貫通口２ａのいくつかに装着されていればよい。
【００２４】
例えば、排気送風手段３ａ１ヶ当たりの処理風量の最低値が３ｍ3／ｈである場合には、表１に示すように６畳相当の部屋の基本換気量は１１．９ｍ3／ｈであるから、４個の排気送風手段３ａがあればよい。従って、この場合には図１、図２における第１の壁１ａに設けられた貫通口２ａのうち、４つのみに排気送風手段３ａが装着され、残りの２つの貫通口２ａには蓋等がされることとなる。
【００２５】
同様に、排気送風手段３ａ１ヶ当たりの処理風量の最低値が５ｍ3／ｈである場合には、６畳相当の部屋の基本換気量は１１．９ｍ3／ｈであるから、２〜３個の排気送風手段３ａがあればよい。従って、この場合には図１、図２における第１の壁１ａに設けられた貫通口２ａのうち、２ヶのみに排気送風手段３ａが装着され、残りの４つの貫通口２ａには蓋等がされることとなる。
【００２６】
この実施の形態にかかる換気システムは、部屋の換気を行うための開口部を１つではなく複数に分散させることによって、部屋の換気効率を高め、換気の利便性を高めることができる。また、換気量を分散して扱うことにより機器そのものが小型化でき、従来の換気扇のようにφ１００mm以上の貫通穴を必要としない。また、貫通口２ａ、２ｂが小径であるので、その設置場所の制約も厳しくなく、設置の自由度を高められる。さらに、インテリア・エクステリア性も高く、施工も容易とし、屋外との遮音性確保が容易で、機器騒音も小さくすることができる等の効果がある。
【００２７】
加えて、排気送風手段３ａをカートリッジ式にする等して着脱可能とし、給気グリルも取り外し可能とすれば、このシステムの使用者が必要な貫通口２ａ、２ｂを選択して使用することができる。このように構成することにより、従来できなかった換気経路つまり空気の流れを選択することができ、生活シーンに応じた快適な空間が形成できる。
【００２８】
また上記では、給気側を貫通口２ｂに設けられた給気グリル３ｂのような自然給気する手段のみとしている。しかし、この発明はこれに限定するものではなく、部屋にファン等を用いて積極的に給気する給気送風手段を複数の貫通口２ｂから選択して設置し、機械的に給気する機械給気する手段とすることにより、より確実な換気流を形成でき換気量が確保することができる。
【００２９】
この実施の形態にかかる換気システムは上記のように構成されているため、換気の方向（空気の流れ方向）が固定されない。このため、部屋の用途やシーンが変わった場合、例えば介護室用途や一時的な宴会などでその部屋から他室への汚気拡散を防止したいなど要求に対して、柔軟に対応することができる。
【００３０】
実施の形態２．
上記の排気送風手段３ａや給気グリル３ｂまたは給気送風手段を貫通口２ａ、２ｂから使用者によって着脱できるものとすることによって、その換気流の形成や換気量の変更の自由度が高まり、より利便性の高い換気システムとなることは言うまでもない。
図４に同一の部屋にて換気流を可変とした場合の換気流の様子を示す。図中ａとｂは換気の流れを逆にした場合を示している。例えば部屋の左側にベッドの枕側があるなど使用者が主に部屋の左側に居している場合はａの換気パターンを選択し新鮮な外気をより早く居住者側にすることができる。また外風の状態に応じて選択することにより、確実な換気をするとともに風の力を有効活用することもできる。また部屋内での調理や介護など臭気や空気汚染を発生するシーンでは、ｃのようにすべて排気運転させることにより、他室への汚染拡散を抑制することができる。またこの逆で他室の臭い等の影響を受けたくない客間や玄関などではｄのように給気運転中心として汚気の侵入を抑制することができる。このａ〜ｄ以外にもその換気の向き、風量設定により様様な換気シーンを提供することが可能である。
【００３１】
このとき排気送風手段３ａ、給気送風手段等の電源を貫通口２ａ、２ｂから取り込める機構を持つことにより、あらかじめすべての貫通口２ａ、２ｂに対して電源線を敷設しておけば、各送風手段３ａ、３ｂの着脱だけで換気運転が可能となり、移動に伴う電源接続の手間がなくなりたいへん使いやすくなる。
【００３２】
例えばその電源を取り込む機構として、貫通口２ａ、２ｂの内側に給電側の接点を、各送風手段のケーシングの外側に受電側の接点を設けることで実現できる。
【００３３】
この実施の形態にかかる換気システムは上述のように、予め複数の貫通口２ａ、２ｂが存在するとともに、排気送風手段３ａや給気グリル３ｂまたは給気送風手段が着脱可能とされるため、換気システムの既設後においても、生活シーンに応じて換気の流れや換気量を自在に設定できる。また、一時的な局所換気をしたいシーンが様様な部屋で発生したときにも、換気を必要としている他室へ排気送風手段３a等を移設し流用することが可能となる。
【００３４】
なお、この実施の形態の説明においては、上記実施の形態１と同一又は相当する部分は説明を省略し、相違する部分について説明した。
【００３５】
実施の形態３．
図５を用いてこの発明の他の実施の形態について説明する。図５は、給排気送風手段の内部結線例を示す構成図である。この実施の形態は、上記複数の排気送風手段３ａ、給気送風手段を給気、排気の切替が可能な給排気送風手段として構成したものである。
【００３６】
図において３ｃは給排気送風手段である。構造は図３に示す上記排気送風手段３ａとほぼ同じである。ここではファンモータ６にＤＣモータを用いた場合を示している。また、１１は給排気切替のための極性切替スイッチを示す。ＤＣモータ６はその電源極性を変えることにより反転することは周知である。この特性を利用して給排気送風手段３ｃを構成することにより、ひとつの送風手段で給排気が選択できるものが提供できる。
これにより前記の換気システムにおいて、給気用送風手段と排気用送風手段３ａを用意し使い分けるといった手間と設備費用をかけることなく、あらかじめ給排気送風手段を貫通口に設置しておくことにより、簡単に換気流の流れを逆転させるまで選択の範囲を広げることができ、使用者の負担を軽減させることができる非常に生活シーンに適合できる換気を提供できる。
例えば部屋内に喫煙するなど一時的に汚染源発生箇所が特定できる場合などでは、その最も近い貫通口２ａ、２ｂの運転を送風手段の入れ替えをすることなく切り替えて排気することが可能となり、汚染の拡散をすばやく防ぐことができる。これは従来の換気方式では対応できなかった。
【００３７】
なお、この実施の形態の説明においては、上記実施の形態１と同一又は相当する部分は説明を省略し、相違する部分について説明した。
【００３８】
実施の形態４
図６はこの発明の実施の形態４にかかる換気システムのブロック構成図である。図において、１２は複数の排気送風手段３ａまたは給気グリル３ｂまたは給気送風手段または給排気送風手段３ｃ（以下送風手段３）を制御する運転制御手段、１３はこの運転制御手段１２を操作する操作手段、１４はこの運転制御手段１２と、操作手段１３を備えた集中制御装置である。この集中制御装置１４は、運転制御手段１２を介して各送風手段３の制御線１５を接続する。また各送風手段３には電源１６が供給されている。
前述のように各送風手段３の運転や風量によって部屋内の従来にない換気が実現できるが、個々の送風手段３において運転設定してすることはわずらわしく、また設定の確認も容易でない。そこで集中制御装置１４にて部屋内のすべての送風手段３を制御することによってこの課題を解決する。集中制御装置１４に設けられた操作手段１３にて、各送風手段３の運転状態運転/停止、風量、給気・排気切替、グリル開度調整などを選択し、運転制御手段１２にて各送風手段３にその指示を与える。操作手段１３を確認することによって部屋内の送風手段３の動作、換気の状態が確認でき、より使い易い換気システムが提供できる。
この操作手段１３において、各送風手段３の運転状態や運転設定の表示を行うもの、また個別の送風手段３を意識せず「天井から床へ」とか「西から北へ」とか「換気多め／少なめ」といった「行いたい換気状態」を指示・表示するものなど、ユーザーインターフェースの方法によってさらに使い易いものが提供できることは言うまでもない。
また操作手段１３においてその操作の一部をワイヤレスリモコンなど遠隔操作できるものとすることにより部屋内での操作性が向上することは言うまでもない。
また運転制御手段１２において、温度や湿度、煙、臭気やガス、埃、在人などのセンサを用いた自動運転制御機能を搭載することによって部屋内の空調や空気質をより最適に制御でき、使い易いシステムを提供することができる。
【００３９】
さらに、例えば部屋の２〜３ヶ所にセンサを設置するとともに、このセンサにより部屋内における２〜３次元の位置の認識が可能な位置認識手段を上記ワイヤレスリモコンに付加することも可能である。このような位置認識手段を付加する結果、換気システムの使用者が臭いの発生源で上記位置認識手段を使用しつつ、上記ワイヤレスリモコンで換気システムを操作できる。その結果、認識された位置に最も近い貫通口２ａ、２ｂに装着された給排気送風手段３ｃの運転を排気に切り替えたり、排気送風手段３ａの処理風量を増加させたりして、排気することが可能となる。これにより、部屋の局所換気が可能となるため、汚染の拡散をすばやく防ぐことができる。
【００４０】
また実施例では集中制御装置１４と各送風手段３との制御線１５を有線で接続しているが、無線とすることで配線が省略でき施工が簡易となることは言うまでもない。
また各部屋毎に有る集中制御装置１４を複数（例えば住宅内のすべての集中制御装置）を管理する装置としてコンピュータや専用装置などを用意することで、その操作性が向上し使用者にとって使い易く、機器管理も容易となることは言うまでもない。
【００４１】
なお、この実施の形態の説明においては、上記実施の形態１と同一又は相当する部分は説明を省略し、相違する部分について説明した。
【００４２】
実施の形態５．
図７はこの発明の実施の形態５にかかる換気システムのブロック構成図である。図において１５ａは上述の制御線１５と共有されるとともに、各貫通口２ａ、２ｂに送風手段３の駆動電源を供給する給電配線手段、１７はこの給電配線手段１５への給電を一ヶ所から行うための集中給電手段であり、集中制御装置１４に設けられる。この集中給電手段１７は、運転制御手段１２、操作手段１３と連動して各送風手段３の電源を供給し制御する。他は図６と同じである。
各送風手段の電源を集中制御装置１４から供給することによりその電源遮断などの操作が容易となり清掃や着脱時の安全性が確保できる。また制御線１５を電源線１５ａと共有することで施工が簡易となり、安価なシステムが構築できる。
さらに、送風手段３の電源の電圧や周波数によってその風量等の運転制御を行うように構成すれば、集中給電手段１７を介して運転制御手段１２によってシステムのコントロールができる。従って、システムの構成が簡易となり安価なシステムを提供できることは言うまでもない。
また送風手段３においてファンモータ６にＤＣモータを用いた場合は、給電がＤＣ電圧で行え、前述の給電配線手段１５ａと制御線１５の共有がより容易となり、またＤＣ電源を２次側として生成でき感電しない安全なシステムが構築できることは言うまでもない。
【００４３】
なお、この実施の形態の説明においては、上記実施の形態４と同一又は相当する部分は説明を省略し、相違する部分について説明した。
【００４４】
実施の形態６．
図８はこの発明の実施形態６にかかる給排気送風手段３ｃの構成図である。ここではファンモータ6をＤＣモータとした場合について説明する。
図において１8は貫通口２ａ、２ｂの内側（内壁部）に突設され、給排気送風手段３ｃに給電を行うための電極接点である。この電極接点１８は、貫通口２ａ、２ｂ内部に対向して配置される正極・負極からなる。また、１９は給排気送風手段３ｃのケーシング９に設けられ、上記電極接点１８から受電する電源部７に接続された受電電極である。一方、上述のようにファンモータ６であるＤＣモータは電源極性を変えることにより反転することは周知である。従って、給排気送風手段３ｃを貫通口２ａ、２ｂに装着する際、あるいは装着した後における、給電電極１８と受電電極１９の組み合わせによってファンモータ6の回転方向は変化する。即ち、給排気送風手段３ｃの給気・排気・停止の切り換えは、上記電極接点１８と受電電極１９の接触の切り換えによって行われ、図８（Ａ）、（Ｂ）、（Ｃ）に示すよう給気運転、排気運転、停止が設定できる。
【００４５】
この実施の形態では上記のように構成されるので、給排気や運転停止を切替するためのスイッチを設けなくても簡易な構成でその設定が行うことができ、またもともと必要であった給電部とその切替設定を共通化できるこにより簡易で安価なシステムが提供できる。
また上記ではＤＣモータについて記したが、誘導モータなどでも同様な構成で実現でき効果があることは言うまでもない。
【００４６】
なお、上述の各実施の形態では貫通口２ａ、２ｂを壁１ａ、１ｂに貫通させた場合について説明した。しかし、貫通口２ａ、２ｂを壁１ａ、１ｂ内に設けられた外気と導通している通気層と室内を連通する構成としたり、天井や床下に設けられた外気と導通するチャンバーなどの空間と連通した構成としても同様な効果が得られることは言うまでもない。
【００４７】
また隣接する部屋など他の空間に対して導通する通気孔例えば間仕切り壁の貫通を貫通口２ａ、２ｂと同一形状なものとして複数設けることで、外壁面の少ない部屋など外気導通の貫通口位置には制約の多い部屋でも、各送風手段３、各装置を流用し隣接空間を利用した効率の良い換気が行え、より空気の流れを自在にでき様様な利用シーンに対応できるシステムが安価に構築することが可能である。
【００４８】
なお、この実施の形態の説明においては、上記実施の形態１と同一又は相当する部分は説明を省略し、相違する部分について説明した。
【発明の効果】
この発明にかかる換気システムは、住宅内の部屋を換気する排気送風手段を備えたものであり、部屋を囲う異なる２つの壁にはこの壁を貫通する直径３０ｍｍ〜５０ｍｍ程度の貫通口が複数分散して設けられ、排気送風手段は複数存在し、貫通口のいくつかに装着されるとともに、排気送風手段が装着されていない貫通口には、蓋または前記部屋に給気するための給気グリル又は給気送風手段が装着されて構成されたものであり、排気量に対する部屋全体の空気入れ替えの効率を向上させることができる。
【００４９】
また、この発明にかかる換気システムは、住宅内の部屋を換気する複数の排気送風手段を備えたものであり、部屋を囲う異なる２つの壁にはこの壁を貫通する貫通口が複数分散して設けられ、排気送風手段は運転時における個々の処理風量の最低値が２〜４ｍ3／ｈであるとともに、最低値で個々の排気送風手段を運転したときに部屋の半分の容積に相当する空気を一時間で換気できるだけの個数が貫通口のいくつかに装着されて構成されたものであり、換気量を分散して扱うことにより機器そのものが小型化でき、設置の自由度を高められる。
【００５０】
また、この発明にかかる換気システムの排気送風手段は貫通口から着脱可能として構成されたものであり、一時的な局所換気をしたいシーンが様様な部屋で発生したときにも、換気を必要としている他室へ排気送風手段等を移設し流用することが可能となる。
【００５１】
また、この発明にかかる換気システムは、２つの壁のうち、第１の壁に設けられた複数の貫通口のいくつかには排気送風手段が装着され、第１の壁とは異なる第２の壁に設けられた複数の貫通口のいくつかには部屋に給気する給気送風手段が装着されて構成されたものであり、面から面への押し出し気流となり効率の高い換気を行うことができる。
【００５２】
また、この発明にかかる換気システムにおける複数の排気送風手段は給気、排気の切替が可能な給排気送風手段として構成されたものであり、換気流の形成や換気量の変更の自由度を高めることができる。
【００５３】
また、この発明にかかる換気システムは、複数の給排気送風手段の給気、排気の切り替えを制御する運転制御手段と、この運転制御手段を操作する操作手段とを備えた集中制御装置を設けて構成されたものであり、その操作性を向上することができる。
【００５４】
また、この発明にかかる換気システムは、複数の排気送風手段または給気送風手段または給排気送風手段の風量を制御する運転制御手段とこの運転制御手段を操作する操作手段とを備えた集中制御装置を設けて構成されたものであり、その操作性を向上させることができる。
【００５５】
また、この発明にかかる換気システムは、貫通口に排気送風手段または給気送風手段または給排気送風手段に電源の供給を行う給電配線手段を設け、この給電配線手段への給電を一ヶ所から行う集中給電手段を集中制御装置に設けて構成されたものであり、清掃や着脱時の操作が容易となる。
【００５６】
また、この発明にかかる換気システムの貫通口はその内側に給排気送風手段に給電を行うための電極接点を有し、給排気送風手段は電極接点から受電する受電電極を有するとともに、給排気送風手段の給気・排気の切り換えは、電極接点と受電電極の接触の切り換えによって行われるようにして構成されたものであり、構成を簡素化できる。
【図面の簡単な説明】
【図１】住宅において２面が屋外に面した６畳相当の一室の斜視図である。
【図２】図１に示す一室の室内を上部から見た図である。
【図３】貫通口２ａに装着されたときの排気送風手段３ａの構造図である。
【図４】同一の部屋にて換気流を可変とした場合の換気流の様子を示す図である。
【図５】給排気送風手段の内部結線例を示す構成図である。
【図６】この発明の実施の形態４にかかる換気システムのブロック構成図である。
【図７】この発明の実施の形態５にかかる換気システムのブロック構成図である。
【図８】この発明の実施形態６にかかる給排気送風手段３ｃの構成図である。
【図９】従来の換気システムを示す構成図である。
【符号の説明】
１ａ  第１の壁、１ｂ  第２の壁、２ａ  貫通口、２ｂ  貫通口、３ａ  排気送風手段、３ｂ  給気グリル、３ｃ  給排気送風手段、５  ファン、６  ファンモータ、７  電源部、８  給気グリル、９  ケーシング本体、１０  フード、１１  極性切替スイッチ、１２  運転制御手段、１３  操作手段、１４  集中制御装置、１５  制御線、１５ａ  給電配線手段、１７  集中給電手段、１8  電極接点、１９  受電電極、１００  窓、１２０  給気孔、１２１  排気用換気扇
【図１】
0003838022.tif 000003
【図２】
0003838022.tif 000004
【図３】
0003838022.tif 000005
【図４】
0003838022.tif 000006
【図５】
0003838022.tif 000007
【図６】
0003838022.tif 000008
【図７】
0003838022.tif 000009
【図８】
0003838022.tif 000010
【図９】
0003838022.tif 000011